(57)【特許請求の範囲】
【請求項１】
発電装置と、前記発電装置からの電力を単相３線式の配電線に連系する系統連系インバータと、前記単相３線式の配電線の中性線を流れる電流を検出するための電流検出手段と、前記インバータの出力を制御するためのシステム制御手段と、を具備し、
前記電流検出手段は、前記単相３線式の配電線のＵ相線及びＶ相線に配設された第１及び第２の電流検出器から構成され、前記システム制御手段は、前記第１及び第２の電流検出器の検出電流値を利用して前記中性線を流れる電流値を演算し、演算した前記電流値が第１の設定値以上になると前記インバータの出力を低下させ、また演算した前記電流値が前記第１の設定値より大きい第２の設定値以上になると停止信号を生成し、前記停止信号に基づいて前記インバータの出力を停止することを特徴とする分散型発電装置の運転制御装置。
【請求項２】
発電装置と、前記発電装置からの電力を単相３線式の配電線に連系する系統連系インバータと、前記単相３線式の配電線の中性線を流れる電流を検出するための電流検出手段と、前記インバータの出力を制御するためのシステム制御手段と、を具備し、
前記電流検出手段は、前記中性線に配設された電流検出器から構成され、前記システム制御手段は、前記電流検出器の検出電流値が第１の設定値以上になると前記インバータの出力を段階的に低下させ、また前記検出電流値が前記第１の設定値より大きい第２の設定値以上になると停止信号を生成し、前記停止信号に基づいて前記インバータの出力を停止することを特徴とする分散型発電装置の運転制御装置。
【発明の詳細な説明】
【０００１】
【発明の属する技術分野】
本発明は、エンジン、タービン等の発動機により駆動される発電装置、燃料電池、太陽光発電装置等の分散型発電装置を安全に運転する運転制御装置に関する。
【０００２】
【従来の技術】
一般に、商業用電源から単相３線式の配電線により電力負荷に電力を送給する場合、図６に示すような回路構成になる。即ち、商業用電源からの配電線２のＵ相線４と中性線６（Ｏ相線）との間に例えば電力負荷８が電気的に接続され、また配電線２のＶ相線１０と中性線６との間に例えば電力負荷１２が電気的に接続される。この単相３線式の電気回路構成では、配電線２のＵ相線４と中性線６との間に例えば１００Ｖの電位差があり、Ｖ相線１０と中性線６との間に例えば１００Ｖの電位差があり、またＵ相線４とＶ相線１０との間に例えば２００Ｖの電位差がある。
【０００３】
このような電気回路構成では、回路の安全性を確保するために、商業用電源と電力負荷８，１２との間に主幹ブレーカ１４が配設される。この主幹ブレーカ１４は、所謂３Ｐ２Ｅ型のものが用いられ、Ｖ相線４及びＶ相線１０にそれぞれその引きはずし素子（図示せず）が配設される。このような主幹ブレーカ１４においては、引きはずし素子がＵ相線４及びＶ相線１０を流れる電流を検知し、Ｕ相線４又はＶ相線１０を流れる電流が定格電流、例えば３０Ａを超えると、主幹ブレーカ１４が配電線２の電気的接続を強制的に遮断し、このように遮断することによって、配電線２を通して過大電流が流れることを防止している。
【０００４】
【発明が解決しようとする課題】
この単相３線式の配電線２の回路構成に、図６に一点鎖線で示すように単相２線式の分散型発電装置としての発電機１６を設置した場合、商業用電源からの電力が電力負荷８，１２に供給されるとともに、発電機１６からの電力もこれら負荷電力８，１２に供給され、電力負荷８，１２の負荷状態によっては、単相３線式の配電線２の中性線６（Ｏ相線）に定格電流、例えば３０Ａを超える電流が流れることがある。それ故に、従来の回路構成中に設けられていた３Ｐ２Ｅ型の主幹ブレーカ１４では、中性線６を流れる電流を検知することができず、充分な安全性を確保することができない。
【０００５】
そこで、上述した不都合を解消するために、３Ｐ２Ｅ型の主幹ブレーカ１４に代えて、中性線６の電流をも検知することができる３Ｐ３Ｅ型の主幹ブレーカを用いることも考えられるが、３Ｐ３Ｅ型の主幹ブレーカを用いる場合、従来のブレーカを新しいものに交換しなければならず、そのためのコストが高くなる問題がある。
【０００６】
本発明の目的は、商業用電源からの単相３線式の配電線に分散型発電装置からの単相２線式の配電線を接続した場合においても、従来の配電盤に大きな改良を施すことなく安全に運転することができる分散型発電装置の運転制御装置を提供することである。
【０００７】
本発明は、発電装置と、前記発電装置からの電力を単相３線式の配電線に連系する系統連系インバータと、前記単相３線式の配電線の中性線を流れる電流を検出するための電流検出手段と、前記インバータの出力を制御するためのシステム制御手段と、を具備し、
前記電流検出手段は、前記単相３線式の配電線のＵ相線及びＶ相線に配設された第１及び第２の電流検出器から構成され、前記システム制御手段は、前記第１及び第２の電流検出器の検出電流値を利用して前記中性線を流れる電流値を演算し、演算した前記電流値が第１の設定値以上になると前記インバータの出力を低下させ、また演算した前記電流値が前記第１の設定値より大きい第２の設定値以上になると停止信号を生成し、前記停止信号に基づいて前記インバータの出力を停止することを特徴とする分散型発電装置の運転制御装置である。
【０００８】
本発明に従えば、商業用電源からの単相３線式の配電線の中性線を流れる電流を検出するための電流検出手段が設けられている。この中性線を流れる電流が第１の設定値（例えば、定格電流）以上になると、システム制御手段はインバータの出力を低下させる。かくインバータの出力が低下すると、中性線を流れる電流が下がり、かくして、中性線に過大電流が流れることを回避することができる。また、この中性線を流れる電流が第２の設定値（定格電流値が例えば５０Ａであるとき、この第２設定値は例えば６０Ａ程度に設定される）以上になると、システム制御手段はインバータの出力を停止するので、発電装置からの電力供給が停止し、これによって中性線に過大電流が流れるのを回避することができる。更に、電流検知手段が単相３線式の配電線のＵ相線及びＶ相線に配設された第１及び第２電流検出器から構成され、システム制御手段は第１及び第２電流検出器の検出電流値を利用して中性線に流れる電流値を演算するので、この演算値に基づきインバータの出力低下及びインバータの出力停止の制御を行うことができる。
発電装置からの発電電力を単相３線式の配電線に系統連系するに際し、逆潮流を検知するために、Ｕ相線及びＶ相線に電流検出器を配設し、これら電流検出器の検出電流値によって逆潮流を検知することがある。このような場合、かかる電流検出器を第１及び第２の電流検出器として利用することができ、専用の電流検出器を設けることなく、中性線を流れる電流の値を検出することができる。
【０００９】
この発電装置は、分散型の発電装置であればよく、例えばエンジン、タービン等の発動機によって駆動される発電装置、燃料電池、太陽光発電装置等である。尚、単相３線式の配電線には、従来と同様に、３Ｐ２Ｅ型の主幹ブレーカが配設されるので、Ｕ相線及びＶ相線に過大電流が流れると、主幹ブレーカが電流の供給を遮断する。
【００１０】
また、本発明は、発電装置と、前記発電装置からの電力を単相３線式の配電線に連系する系統連系インバータと、前記単相３線式の配電線の中性線を流れる電流を検出するための電流検出手段と、前記インバータの出力を制御するためのシステム制御手段と、を具備し、
前記電流検出手段は、前記中性線に配設された電流検出器から構成され、前記システム制御手段は、前記電流検出器の検出電流値が第１の設定値以上になると前記インバータの出力を段階的に低下させ、また前記検出電流値が前記第１の設定値より大きい第２の設定値以上になると停止信号を生成し、前記停止信号に基づいて前記インバータの出力を停止することを特徴とする分散型発電装置の運転制御装置である。
本発明に従えば、商業用電源からの単相３線式の配電線の中性線を流れる電流を検出するための電流検出手段が設けられ、この中性線を流れる電流が第１の設定値（例えば、定格電流）以上になると、システム制御手段はインバータの出力を段階的に低下させる。この電流値が第１の設定値以上になると、インバータの出力が低下され、かく出力を低下させても中性線の電流値が第１の設定値以上であると、インバータの出力が更に低下され、このようにインバータの出力を段階的に下げることによって、単相３線式の配電線の中性線に過大電流が流れることを回避することができる。また、この中性線を流れる電流が第２の設定値以上になると、システム制御手段はインバータの出力を停止するので、この中性線に過大電流が流れるのを回避することができる。更に、電流検知手段が中性線に配設された電流検出器から構成されるので、中性線を流れる電流の値を直接的に検出してインバータの出力低下及びインバータの出力停止の制御を行うことができる。
【００１５】
【発明の実施の形態】
以下、図１〜図５を参照して、本発明に従う分散型発電装置の運転制御装置の実施形態について説明する。図１は、本発明に従う運転制御装置の第１の実施形態を装備したコージェネレーションシステムの一例を示す簡略図であり、図２は、図１のコージェネレーションシステムの回路構成を簡略的に示すブロック回路図であり、図３は、図１のコージェネレーションシステムの制御系の一部を示すブロック図であり、図４は、図１のコージェネレーションシステムの運転制御装置による運転の流れを示すフローチャートである。
【００１６】
図１において、図示のコージェネレーションシステムは、エンジン２２により駆動される発電機２４を含む発電装置２６と、エンジン２２の冷却水から排出される熱を温水のかたちで貯留する貯湯装置２８とを備え、貯湯装置２８は温水を貯える貯湯タンク３０を含んでいる。エンジン２２はガスエンジン、ディーゼルエンジンなどである。発電機２４の出力側には系統連系インバータ３２が設けられている。系統連系インバータ３２は、発電機２４の出力電力を商業用電源３４から供給される電力と同じ電圧及び同じ周波数にするとともに、電力負荷３８に供給される電力を制御する。商業用電源３４は、例えば単相３線式（標準電圧）１００Ｖ及び２００Ｖであり、配電線３６を介して電力負荷３８、即ち、テレビ、冷蔵庫、洗濯機等の各種電気機器に電気的に接続される。この発電装置２６は分散型発電装置として設置され、インバータ３２は、コージェネ用スイッチ手段４０を介して配電線３６に電気的に接続され、このスイッチ手段４０が閉状態のときに、発電機２４にて発生した電力がインバータ３２、コージェネ用スイッチ手段４０及び配電線３６を介して電力負荷３８に供給される。
【００１７】
この実施形態では、配電線３６に逆潮流検出器４２が設けられ、逆潮流検出器４２は配電線３６を流れる電流に逆潮流が生じているか否かを検知し、逆潮流が生じないように発電機２４から系統連系インバータ３２を介して配電線３６に送給される電流が制御される。尚、逆潮流検出器４２については後述する。
貯湯装置２８は、温水を循環させるための温水循環流路４４を備えており、温水循環流路４４の一端側が貯湯タンク３０の底部に接続され、この温水循環流路４４の他端側が貯湯タンク３０の上部に接続されている。このように構成されているので、貯湯タンク３０内の温水は、温水循環流路４４を通して循環される。この温水循環流路４４には、更に、温水を循環させるための循環ポンプ５４が配設されている。
【００１８】
この形態では、温水循環流路４４に関連して、熱交換器４６が配設されている。熱交換器４６は、エンジン２２のラジエタ４８からの冷却水を循環させるための冷却水循環流路５０を流れる冷却水と温水循環流路４４を流れる温水との間で熱交換を行うもので、エンジン２２からの冷却水によって温水循環流路４４を流れる温水を加熱する。尚、冷却水循環流路５０には、冷却水を循環させるための循環ポンプ５２が配設されている。
【００１９】
貯湯タンク３０には、水を供給するための水供給流路を構成する給水ライン５４が接続されている。給水ライン５４の一端側は、貯湯タンク３０の底部に接続され、その他端側は、水道管の如き水供給源（図示せず）に接続される。この給水ライン５４には減圧逆止弁５６が配設され、貯湯タンク３０から給水ライン５４側に温水が逆流するのを防止する。
【００２０】
この貯湯タンク３０には、更に、温水を供給するための給湯ライン５８が接続されている。給湯ライン５８の一端側は貯湯タンク３０の上部に接続され、その他端側には、１個又は複数個のカラン（図示せず）が接続され、カランを開栓すると、貯湯タンク３０内の温水が給湯ライン５８を通して出湯する。
次に主として図２を参照して、このコージェネレーションシステムにおける配電線３６及びそれに関連する回路構成について説明すると、図示の実施形態では、商業用電源３４からの配電線３６は単相３線式であり、Ｕ相線６２、Ｖ相線６４及び中性線６６（Ｏ相線）から構成され、Ｕ相線６２と中性線６６との間に例えば１００Ｖの電位差があり、Ｖ相線６４と中性線６６との間に例えば１００Ｖの電位差があり、またＵ相線６２とＶ相線６４との間に例えば２００Ｖの電位差がある。このような単相３線式の配電線３６の回路構成では、電力負荷３８の一部３８Ａについては、Ｕ相線６２と中性線６６との間に接続された構成となり、電力負荷３８の残部３８Ｂについては、Ｖ相線６４と中性線６６との間に接続された構成となる。
【００２１】
この配電線３６には、商業用電源３４と電力負荷３８との間に主幹ブレーカ６８が配設される。この主幹ブレーカ６８は、従来の単相３線式の回路構成で一般的に使用される所謂３Ｐ２Ｅ型のものであり、Ｕ相線６２及びＶ相線６４にそれぞれその引きはずし素子（図示せず）が配設され、これら引きはずし素子は、Ｕ相線６２及びＶ相線６４を流れる電流を検知し、Ｕ相線６２又はＶ相線６４を流れる電流が定格電流、例えば５０Ａを超えると、主幹ブレーカ６８が配電線３６の電気的接続を強制的に遮断する。
【００２２】
この実施形態では、コージェネレーションシステムの発電機２４からの配電線７０は単相２線式のものであり、この配電線７０のＵ相線７２が上記配電線３６のＵ相線６２に連結され、配電線１２２のＶ相線７４が上記配電線３６のＶ相線６４に連結される。
この実施形態では、電流の逆潮流を検知するための逆潮流検出器４２は第１及び第２の電流検出器７６，７８から構成され、第１の電流検出器７６はＵ相線６２に配設され、Ｕ相線６２を流れる電流を検出し、また第２の電流検出器７８はＶ相線６４に配設され、Ｖ相線６４を流れる電流を検出する。この形態では、第１及び第２の電流検出器７６，７８は中性線６６を流れる電流を検出する電流検出手段としても機能する。例えば、配電線３６のＵ相線６２を流れる電流の瞬時値をｉｕとし、配電線７０のＵ相線７２を流れる電流の瞬時値をｉｇとし、電力負荷３８Ａを流れる電流の瞬時値をｉＬｕとすると、これらの間には、ｉＬｕ＝ｉｕ＋ｉｇの関係が成立する。また、中性線６６を流れる電流の瞬時値をｉｏとし、電力負荷３８Ｂを流れる電流の瞬時値をｉＬｖとすると、ｉｏ＝ｉＬｖ−ｉＬｕの関係が成立する。更に、配電線３６のＶ相線６４を流れる電流の瞬時値をｉｖとする（このとき、配電線７０のＵ相線７２を流れる電流の瞬時値がｉｇであるので、そのＶ相線７４を流れる電流の瞬時値もｉｇとなる）と、ｉＬｖ＝ｉｖ＋ｉｇの関係が成立する。これらのことから、ｉｏ＝ｉｖ−ｉｕが成立し、Ｕ相線６２の電流を検出する第１の電流検出器７６の検出値とＶ相線６４の電流を検出する第２の電流検出器７８の検出値を用いて中性線６６を流れる電流の瞬時値を演算し、この瞬時値を所要のとおり積分することによって中性線６６を流れる電流の実効値を算出することができる。即ち、電流の実効値Ｉｏは、
【数式１】
0004540248.tif 000002
【００２３】
の式を用いて求めることができる。
図３を参照して、このコージェネレーションシステムは、このシステム全体を作動制御するためのシステム制御手段８２と、エンジン２２に供給される燃料（例えば燃料用ガス）の流量を制御するための流量制御弁８４とを備え、システム制御手段８２は発電装置２６の運転制御装置の一部を構成している。コージェネレーションシステムにおいては、インバータ３２の出力を制御することによって、発電装置２６から電力負荷３８に供給される電力が制御され、かく出力電力を制御することによって、発電機２４を駆動するエンジン２２の出力が変動する。
【００２４】
システム制御手段８２は、例えばマイクロプロセッサから構成され、作動制御手段８６、逆潮流判定手段８８、瞬時電流算出手段９０、実効値電流算出手段９２、停止信号生成手段９４、メモリ９６、比較手段９８及びタイマ１００を含んでいる。作動制御手段８６は、インバータ３２及びコージェネ用スイッチ手段４０等を作動制御し、逆潮流判定手段８８は、第１の電流検出器７６の検出電流値に基づいてＵ相線６２に逆潮流が発生しているかを判定するとともに、第２の電流検出器７８の検出電流値に基づいてＶ相線６４に逆潮流が発生しているかを判定し、瞬時電流算出手段９０は、第１及び第２の電流検出器７６，７８の瞬時検出電流値を利用して上述した如くして中性線６６を流れる電流の瞬時電流値を算出し、また実効値電流算出手段９２は瞬時電流算出手段９０により算出した瞬時電流値を用いて中性線６６を流れる電流の実効値を算出し、更に停止信号生成手段１０８は、後述する如く停止信号を生成する。この実施形態では、メモリ９６には、インバータ３２の出力を低下させる基準となる電流の第１の設定値（例えば、定格電流値である例えば５０Ａに設定される）、インバータ３２の出力を停止させる基準となる第２の設定値（例えば、定格電流値よりも大きい例えば６０Ａに設定される）、インバータ３２の出力を低下させる際の出力低下割合値（例えば３％程度に設定される）等が記憶され、比較手段９８は、電流の上記第１の設定値及び上記第２の設定値と実効値電流算出手段９２により算出した実効電流値とを比較し、またタイマ１００は、インバータ３２の出力を後述する如く段階的に低下させる設定時間（例えば１０秒程度に設定される）を計時する。
【００２５】
一般に、ブレーカの特性は、流れる過大電流が大きい程瞬間的に電流の流れを遮断するようになっており、このようにして安全性を確保している。このようなことから、この形態では、インバータ３２の出力を低下させる基準となる第１の設定値とインバータ３２の出力を停止する第２の設定値とが設定され、第１の設定値より大きい第２の設定値以上になったときには、後述するように、インバータ３２の出力が瞬時に停止されるが、第１の設定値以上で第２の設定値より小さいときには、設定時間の間インバータ３２出力を低下させる制御を行い、設定時間経過後においても電流値が低下しないときに、インバータ３２の出力を停止させている。このように第１及び第２の設定値を設定し、設定値によってインバータ３２の出力停止までの時間を所要の通り設定することによって、比較的簡単な制御で充分な安全性を確保することができ、このようにして安全性を確保しながら発電装置２の発電効率を高めている。
【００２６】
次いで、主として図２〜図４を参照して、上述した運転制御装置による運転について説明する。コージェネレーションシステムの運転中、第１及び第２の電流検出器７６，７８は、配電線３６のＵ相線６２及びＶ相線６４を流れる電流を検出し（ステップＳ１）、これら電流検出器７６，７８空の検出信号はシステム制御手段８２に送給される。かくすると、システム制御手段８２の瞬時電流算出手段９０は第１及び第２の電流検出器７６，７８の検出瞬時電流値を利用して中性線６６（Ｏ相線）を流れる電流の瞬時値を算出し（ステップＳ２）、実効値電流算出手段９２は算出した瞬時値を用いて中性線６６を流れる電流の実効値を算出する（ステップＳ３）。尚、逆潮流判定手段８８は、第１及び第２の電流検出器７６，７８の検出電流値によってＵ相線６２及びＶ相線６４において電流の逆潮流が発生しているかを判定する。
【００２７】
このようにして中性線６６の電流の実効電流値が算出されると、システム制御手段８２の比較手段９８は、実効値電流算出手段９２により算出された電流値とメモリ９６に記憶された第１の設定値（例えば５０Ａ）とを比較する。そして、算出した実効電流値が上記第１の設定値より小さいときには、コージェネレーションシステムのその運転状態がそのまま維持されるが、この実効電流値が上記第１の設定値以上になると、ステップＳ４からステップＳ５に進み、タイマ１００が作動して時間の計時を開始しステップＳ６に進む。ステップ６では、第１及び第２の電流検出器７６，７８は、再び、配電線３６のＵ相線６２及びＶ相線６４を流れる瞬時電流を検出し、この検出信号がシステム制御手段８２に送給され、上述したと同様に、瞬時電流算出手段９０は中性線６６を流れる電流の瞬時値を算出し（ステップＳ７）、実効値電流算出手段９２は中性線６６を流れる電流の実効値を算出する（ステップＳ８）。
【００２８】
中性線６６の実効電流値が算出されると、比較手段９８は、メモリ９６に記憶された第２の設定値（例えば６０Ａ）と算出された実効電流値とを比較し（ステップＳ９）、実効電流値が上記第２の設定値以上であると、配電線３６の中性線６６に過大の電流が流れているとして、停止信号生成手段９４が停止信号を生成し、この停止信号に基づいて作動制御手段８６はインバータの出力を停止する（ステップ１０）。従って、中性線６６には比較的大きい過大電流が流れているとして、インバータ３２の出力は瞬時的に停止される。このとき、コージェネレーションシステム全体の運転を停止するようにしてもよい。一方、算出された実効電流値が上記第２の設定値より小さいと、ステップＳ９からステップＳ１１に移り、比較手段９８は、次に、メモリ９６に記憶された上記第１の設定値（例えば５０Ａ）と算出された実効電流値とを比較する。
【００２９】
この実効電流値が上記第１の設定値以上であると、配電線３６の中性線６６に比較的小さい過大の電流が流れているとして、ステップＳ１１からステップＳ１２に進み、作動制御手段８６はインバータの出力を低下する（ステップＳ１２）。このようにインバータ３２の出力が低下すると、エンジン２２に供給される燃料供給量を少なくなり（ステップＳ１４）、これによってエンジン２２の出力も下がる。
【００３０】
このようにインバータ３２の出力を力が低下すると、タイマ１００が設定時間、例えば１０秒を計時したか否かが判断され、タイマ１００が設定時間を計時するまで、ステップＳ１３からステップＳ６に戻り、中性線６６を流れる電流の実効値が上記第１の設定値より小さくなるまでステップＳ６からステップＳ１３が繰り返し遂行され、インバータ３２の出力が段階的に下がり、これによって中性線６６を流れる電流も段階的に減少する。尚、上述したインバータ３２の出力の低下によって、中性線６６を流れる電流の実効値が上記第１の設定値より小さくなると、ステップＳ１１からステップＳ１に戻り、その状態でのエンジン２２の運転が維持される。
【００３１】
尚、インバータ３２の出力を低下させ、設定時間が経過した時点においても中性線６６を流れる電流の実効値が上記第１の設定値以上であると、ステップＳ１３からステップＳ１０に移り、停止信号生成手段９４は停止信号を生成し、上述したと同様に、作動制御手段８６はこの停止信号に基づいてインバータ３２の出力を停止する。
【００３２】
上述した運転制御装置では、配電線３６の中性線６６を流れる電流が大きくなると、インバータ３２の出力を低下させてこの中性線６６を流れる電流を下げているので、従来の主幹ブレーカ６８を備える回路構成であっても充分な安全性を確保することができる。また、従来の主幹ブレーカ６８を備えた回路構成におけるＵ相線６２及びＶ相線６４に電流検出器７６，７８を設けるという比較的簡単な構成でもって対応することができ、またこの電流検出器７６，７８は逆潮流を検知するためのものを利用することができ、従来の回路構成をできるだけ利用してその設置コストを少なくすることができる。更に、配電線３６の中性線６６に流れる電流が大きくなっても、主幹ブレーカ６８を遮断状態にしないので、電力負荷３８の運転を停止させることもない。
【００３３】
以上、本発明に従う発電装置の運転制御装置の一実施形態について説明したが、本発明はかかる実施形態に限定されるものではなく、本発明の範囲を逸脱することなく種々の変形乃至修正が可能である。
例えば、上述した実施形態では、Ｕ相線６２及びＶ相線６４に配設された電流検出器７６，７８の瞬時電流値を利用して中性線６６を流れる電流の実効値を算出しているが、これに代えて、例えば図５に示すように構成することもできる。図５において、この変形形態では、中性線６６を流れる電流を検出する電流検出手段が専用の電流検出器１０６から構成され、この電流検出器１０６が中性線６６に配設される。電流検出器１０６は中性線６６を流れる電流の電流値（実効値）を直接的に検出し、この検出信号がシステム制御手段８２に送給される。この変形形態のその他の構成は、上述した実施形態と実質上同一である。この電流検出器１０６の検出電流値を用いて上述したと同様に制御する（実効値電流算出手段９２により算出される実効電流値に代えてこの検出電流値を用いる）ことによって、上記実施形態と同様の作用効果が達成される。
【００３４】
また、上述した実施形態では、中性線６６を流れる電流の値が第２の設定値より小さく且つ第１の設定値以上であるとき、インバータ３２の出力を段階的に下げているが、このような制御に代えて、例えば中性線６６を流れる電流の値と第１の設定値との電流値差を算出し、この算出した電流値差に基づいて中性線６６電流が第１の設定値より小さくなるように、インバータ３２の出力を下げるように制御することもできる。
【００３５】
また、上述した実施形態では、インバータ３２の出力低下させる制御（第１の設定値との比較による制御）と、インバータ３２の出力を停止させる制御（第２の設定値との比較による制御）とを同じ制御の流れの中で行っているが、これに代えて、これらの制御を夫々独立の制御フローとして行うこともでき、この場合、インバータ３２の出力を停止させる制御の流れは常時行い、インバータ３２の出力を低下させる制御の流れは例えば１秒毎に行うようにすることができる。
【００３６】
本発明の請求項１の分散型発電装置の運転制御装置によれば、商業用電源からの単相３線式の配電線の中性線を流れる電流値が第１の設定値以上になるとシステム制御手段はインバータの出力を低下するので、インバータの出力低下に伴って中性線を流れる電流が下がり、かくして、配電線の中性線に過大電流が流れることを回避することができる。また、逆潮流を検知するためにＵ相線及びＶ相線に配設される電流検出器の検出電流値を利用して中性線に流れる電流値を算出することが可能であるので、専用の電流検出器を設けることなく、中性線を流れる電流の値を検出することができる。更に、中性線を流れる電流の値が第２の設定値以上であると、システム制御手段が停止信号を生成し、この停止信号に基づいてインバータの出力を停止するので、インバータを介しての電力供給が停止し、これによって中性線に過大電流が流れるのを回避することができる。
【００３７】
また、本発明の請求項２の分散型発電装置の運転制御装置によれば、商業用電源からの単相３線式の配電線の中性線を流れる電流値が第１の設定値以上になるとシステム制御手段はインバータの出力を段階的に低下するので、配電線の中性線に過大電流が流れることを回避することができる。また、中性線を流れる電流の値が第２の設定値以上であると、システム制御手段が停止信号を生成し、この停止信号に基づいてインバータの出力を停止するので、中性線に過大電流が流れるのを回避することができる。更に、中性線に電流を検出する電流検出器を設けることによって、その電流を直接的に検出することができる。
【図面の簡単な説明】
【図１】本発明に従う運転制御装置の一実施形態を装備したコージェネレーションシステムの一例を示す簡略図である。
【図２】図１のコージェネレーションシステムの回路構成を簡略的に示すブロック回路図である。
【図３】図１のコージェネレーションシステムの制御系の一部を示すブロック図である。
【図４】図１のコージェネレーションシステムの運転制御装置による運転の流れを示すフローチャートである。
【図５】コージェネレーションシステムの回路構成の変形形態を簡略的に示すブロック回路図である。
【図６】従来の単相３線式の配電線の回路構成を簡略的に示すブロック回路図である。
【符号の説明】
２２  エンジン
２４  発電機
２６  発電装置
２８  貯湯装置
３２  系統連系インバータ
３４  商業用電源
３６，７０  配電線
３８，３８Ａ，３８Ｂ  電力負荷
４２  逆潮流検出器
７６，７８  電流検出器
８２  システム制御手段
８６  作動制御手段
９４  停止信号生成手段
６８  主幹ブレーカ
１０６  電流検出器
【図１】
0004540248.tif 000003
【図２】
0004540248.tif 000004
【図３】
0004540248.tif 000005
【図４】
0004540248.tif 000006
【図５】
0004540248.tif 000007
【図６】
0004540248.tif 000008